(57)【特許請求の範囲】
【請求項１】
車両後部に開閉可能に設けられるテールゲートの車幅方向両側上方に配置されるランプユニットと、
前記ランプユニットの裏側に配置される車体パネルに装着されると共に、車室内の空気を車外へ排出する換気口を有するベンチレータと、
前記換気口の周囲を囲むように前記ベンチレータに一体に設けられて雨水や洗車水が前記換気口へ浸入することを防ぐ庇とを備え、
前記ランプユニットは、
前記車体パネルに固定され、光源を支持するランプ本体と、
前記テールゲートの閉鎖時に当該テールゲートによって隠されるように、前記ランプ本体から車幅方向中央側に延設する延設部と、
前記延設部の上部及び下部に開口し、当該延設部の裏側と車外とを連通する複数の上スリット及び下スリットとを有し、
前記ベンチレータを、前記換気口が前記上スリットと前記下スリットとの間に位置するように設ける
ことを特徴とする車両のベンチレータ防水構造。
【請求項２】
請求項１に記載の車両のベンチレータ防水構造において、
前記庇は、その上面が山なりに形成されると共に下面側が開口される
ことを特徴とする車両のベンチレータ防水構造。
【発明の詳細な説明】
【技術分野】
【０００１】
本発明は、車両のベンチレータ防水構造に関する。
【背景技術】
【０００２】
一般に、車両の後部には、車室内の換気やドアの閉鎖性を良くするために、車室内の空気を車外に逃がすベンチレータが設けられている。このベンチレータは、ランプユニットやバンパー等の外装部品の裏側に配置されており、車室内から導かれた空気を、そのベンチレータの換気口から外部に排出するようにしている。そして、外装部品側に設けられたスリット等の形状を工夫することにより、換気口への雨水や洗車水等の浸入を防止している。
【０００３】
このような、従来の車両のベンチレータ防水構造は、例えば、特許文献１，２に開示されている。
【０００４】
【特許文献１】特許第３２６８９９６号公報
【特許文献２】実公平３−５０５４８号公報
【発明の開示】
【発明が解決しようとする課題】
【０００５】
ここで、車両の外観のデザインは、見た目の美しさもさることながら、限られたボディサイズの中で居住空間を広くとると共に、空力的に優れたスタイルにすることが重要であり、これらの兼ね合いをとって、車両としての存在感や特徴を出している。これは、車両の後端面においても例外ではなく、近年においては、上方から下方に向かうに従い後方に傾斜した後端面を備える車両が提供されるようになってきている。
【０００６】
しかしながら、このような後端面が傾斜した車両に、上述した従来のベンチレータ構造を採用しようとすると、特に、ベンチレータをランプユニットの裏側に設ける場合には、ランプユニット側に設けたスリットから水が車体側へ流れ込み易くなる。また、車体パネルとランプユニットとの隙間からも水が流れ込んでくるため、ベンチレータの換気口に水が浸入するおそれがある。更に、これらの水の浸入を防止しようとして、ランプユニットとの隙間にシール等を施して対策することもできるが、コストや作業工数がかかってしまうため採用されることは少ない。
【０００７】
従って、簡素な構成で換気口への雨水や洗車水の浸入を防止することができる車両のベンチレータ防水構造を提供することを目的とする。
【課題を解決するための手段】
【０００８】
上記課題を解決する第１の発明に係る車両のベンチレータ防水構造は、
車両後部に開閉可能に設けられるテールゲートの車幅方向両側上方に配置されるランプユニットと、
前記ランプユニットの裏側に配置される車体パネルに装着されると共に、車室内の空気を車外へ排出する換気口を有するベンチレータと、
前記換気口の周囲を囲むように前記ベンチレータに一体に設けられて雨水や洗車水が前記換気口へ浸入することを防ぐ庇とを備え、
前記ランプユニットは、
前記車体パネルに固定され、光源を支持するランプ本体と、
前記テールゲートの閉鎖時に当該テールゲートによって隠されるように、前記ランプ本体から車幅方向中央側に延設する延設部と、
前記延設部の上部及び下部に開口し、当該延設部の裏側と車外とを連通する複数の上スリット及び下スリットとを有し、
前記ベンチレータを、前記換気口が前記上スリットと前記下スリットとの間に位置するように設ける
ことを特徴とする。
【０００９】
上記課題を解決する第２の発明に係る車両のベンチレータ防水構造は、
前記庇は、その上面が山なりに形成されると共に下面側が開口される
ことを特徴とする。
【発明の効果】
【００１１】
本発明に係る車両のベンチレータ防水構造によれば、車両後部に設けられるランプユニットと、前記ランプユニットの裏側近傍で車体パネルに装着されると共に、車室内の空気を車外へ排出する換気口を有するベンチレータと、前記換気口の周囲を囲むように前記ベンチレータに一体に設けられて雨水等が前記換気口へ浸入することを防ぐ庇とを備えることにより、簡素な構成で前記換気口への雨水や洗車水の浸入を防止することができる。
【００１２】
本発明に係る車両のベンチレータ防水構造によれば、前記庇は、その上面が山なりに形成されると共に下面側が開口されることにより、車両上方から流れ込んだ雨水や洗車水を前記庇上面に沿って積極的に庇側方に導くことができるので、雨水等を前記庇側面に沿って車両下方へスムーズに流すことができる。
【００１３】
本発明に係る車両のベンチレータ防水構造によれば、前記ランプユニットには前記ランプユニットの裏側と車外とを連通するスリットが形成されており、前記スリットは前記換気口に対して車両上下方向にオフセットした位置に配置されることにより、前記スリットから浸入した雨水や洗車水が前記換気口に浸入することを防止することができる。
【発明を実施するための最良の形態】
【００１４】
以下、本発明に係るベンチレータ防水構造を図面を用いて詳細に説明する。図１は本発明の一実施例に係るベンチレータ防水構造を備えた車両の後方図、図２は図１のＡ−Ａ矢視断面図であり本発明の一実施例に係るベンチレータ防水構造、図３はベンチレータの拡大図、図４はリヤコンビランプユニットの斜視図、図５はベンチレータとリヤコンビランプユニットとの配置図である。なお、本実施例においては車両左側のベンチレータ防水構造を説明するが、車両右側に対称に配置される同構造のベンチレータ防水構造については説明を省略する。
【００１５】
図１乃至５に示すように、車両１の後部にはテールゲート２が開閉可能に設けられており、このテールゲート２の両側上方にはリヤコンビランプユニット３が設けられている。リヤコンビランプユニット３は、上方から下方に向かうに従い後方に傾斜するように設けられるアウタパネル（車体パネル）４及びインナパネル５にねじ等で固定されており、このアウタパネル４及びインナパネル５の上端はルーフパネル６と接合されている。そして、リヤコンビランプユニット３の裏側近傍のアウタパネル４には、ベンチレータ７が設けられている。
【００１６】
リヤコンビランプユニット３は、図示しないランプ（光源）を支持するランプ本体１１と、そのランプを覆うようにランプ本体１１に取り付けられるレンズ１２と、ランプ本体１１から車体中央側に延設する延設部１３とから構成されている。そして、延設部１３の上部及び下部には複数の上スリット１４及び下スリット１５が上下方向に多段に開口されており、スリット１４，１５は延設部１３の裏側（リヤコンビランプユニット３の裏側）の空間と車外とを連通している。また、延設部１３は、テールゲート２の閉鎖時において、このテールゲート２によって隠される位置に配置されている。つまり、テールゲート２の裏側（車両前方側）に配置される。
【００１７】
一方、ベンチレータ７は、上下方向に多段に開口される複数の換気口２１と、この換気口２１に設けられて車室内の空気Ａを排気する時のみ開弁するワンウェイバルブ２２と、換気口２１の周囲を囲んで換気口２１への水の浸入を防ぐ庇２３とから構成されている。
【００１８】
ワンウェイバルブ２２は、ゴム等の柔軟性を有する板状の部材であり、換気口２１を車外側から覆うと共に、その上端部が固定されることにより排気時にその下端側が車外側に向かって開くように構成されている。また、庇２３は、上面が山なりに形成されると共に、下面側が開口されるように構成されている。更に、ベンチレータ７は、リヤコンビランプユニット３の裏側においてアウタパネル４に取り付けられており、しかも、ランプ本体１１と延設部１３との略中間で、且つ上スリット１４及び下スリット１５との間に配置されている。即ち、換気口２１が上スリット１４及び下スリット１５に対して上下方向においてオフセットした位置に配置されている。そして、インナパネル５には、ベンチレータ７と対向する位置に車室内と連通する開口部３１が開口されている。
【００１９】
従って上述した構成をなすことにより、テールゲート２や図示しないドアを閉鎖しようとすると、車室内の圧力が上昇し、車室内の空気Ａは開口部３１を通りベンチレータ７の換気口２１へ導かれる。換気口２１を通過した空気Ａはその圧力によりワンウェイバルブ２２を開弁し、スリット１４，１５から車外に排出される。これにより、テールゲート２やドアの閉鎖性能を向上させる。また、密閉された車室において、エアコンを作動させ車室内の圧力が上昇すると、車室内の空気Ａは開口部３１から換気口２１へ導かれた後、スリット１４，１５から車外に排出される。これにより、車室内の換気性能を向上させている。
【００２０】
そして、ルーフパネル６からアウタパネル４を伝う雨水等の水Ｗ１や、テールゲート２とリヤコンビランプユニット３との隙間から浸入した高圧洗車水等の水Ｗ２が、換気口２１側に流れ込もうとしても、それらの水Ｗ１，Ｗ２は庇２３の外周を沿って流れ落ちるので、換気口２１への水Ｗ１，Ｗ２の浸入を防止できる。また、庇２３の下面側が開口されているので、換気口２１から排出された空気Ａが排気され易い。更に、換気口２１及び庇２３を上スリット１４と下スリット１５との間に配置されるように上下方向でオフセットした位置に設けているので、仮に、高圧洗車水である水Ｗ２がスリット１４，１５から浸入し換気口２１側に流れ込んでも、換気口２１への浸入を確実に防止できる。しかも、ワンウェイバルブ２２を備えているので、水Ｗ１，Ｗ２だけでなく、車外からの音やほこりの浸入も防止できる。
【００２１】
従って、本発明に係る車両のベンチレータ防水構造によれば、リヤコンビランプユニット３の裏側に配置されるベンチレータ７の換気口２１の周囲に庇２３を設けることにより、簡素な構成で換気口２１への雨水や洗車水の浸入を防止することができる。そして、庇２３の上面を山なりに形成することで、水Ｗ１，Ｗ２が庇２３の側方に積極的に導かれ、庇２３の外周に沿って流されるので、排水性能を向上させることができる、また、庇２３の下面側が開口されているので、換気口２１から排出される空気Ａが排出され易くなり、換気性能を向上させることができる。更に、庇２３を上スリット１４及び下スリット１５とオフセットした位置に設けることにより、上スリット１４から水Ｗ２が浸入した場合であっても、水Ｗ２が庇２３の外周に沿って流れるので、確実に換気口２１への水Ｗ２の浸入を防止することができる。
【産業上の利用可能性】
【００２２】
車室内の空気を車外に排出する換気構造に適用可能である。
【図面の簡単な説明】
【００２３】
【図１】本発明の一実施例に係るベンチレータ防水構造を備えた車両の後方図である。
【図２】図１のＡ−Ａ矢視断面図であり、本発明の一実施例に係るベンチレータ防水構造を示した概略図である。
【図３】ベンチレータの拡大図である。
【図４】リヤコンビランプユニットの斜視図である。
【図５】ベンチレータとリヤコンビランプユニットとの配置図である。
【符号の説明】
【００２４】
１      車両
２      テールゲート
３      リヤコンビランプユニット
４      アウタパネル
５      インナパネル
６      ルーフパネル
７      ベンチレータ
１１    ランプ本体
１２    レンズ
１３    延設部
１４    上スリット
１５    下スリット
２１    換気口
２２    ワンウェイバルブ
２３    庇
３１    開口部
【図１】
0004539543.tif 000002
【図２】
0004539543.tif 000003
【図３】
0004539543.tif 000004
【図４】
0004539543.tif 000005
【図５】
0004539543.tif 000006